(57)【要約】  ブランクを折り込むことで成形される喫煙物品用パッケージであって、ブランクの少なくとも一部に形成された凹凸加飾部を備え、凹凸加飾部は、デボス加工によってブランクの外面が周囲よりも喫煙物品の収容空間側に向かって凹んだデボス面を有するデボス部と、デボス部の平面領域内に形成され、エンボス加工によってデボス面が隆起してなる突起を有するエンボス部と、を含む。
2015125292.tif 000002
【特許請求の範囲】
【請求項１】
ブランクを折り込むことで成形される喫煙物品用パッケージであって、
前記ブランクの少なくとも一部に形成された凹凸加飾部を備え、
前記凹凸加飾部は、
デボス加工によって前記ブランクの外面が周囲よりも前記喫煙物品の収容空間側に向かって凹んだデボス面を有するデボス部と、
前記デボス部の平面領域内に形成され、エンボス加工によって前記デボス面が隆起してなる突起を有するエンボス部と、
を含む、喫煙物品用パッケージ。
【請求項２】
前記突起における頂部の高さは、前記デボス部の周囲を囲む外周部の高さ以下である、
請求項１に記載の喫煙物品用パッケージ。
【請求項３】
折り込まれることで喫煙物品用パッケージを成形する喫煙物品用パッケージのブランクであって、
少なくとも一部に形成された凹凸加飾部を備え、
前記凹凸加飾部は、
デボス加工によって前記ブランクの外面が周囲よりも前記喫煙物品の収容空間側に向かって凹んだデボス面を有するデボス部と、
前記デボス部の平面領域内に形成され、エンボス加工によって前記デボス面が隆起してなる突起を有するエンボス部と、
を含む、喫煙物品用パッケージのブランク。
【発明の詳細な説明】
【技術分野】
【０００１】
本発明は、喫煙物品用パッケージおよび喫煙物品用パッケージのブランクに関する。
【背景技術】
【０００２】
シガレットのような喫煙物品用のパッケージは、板紙、例えば厚紙からなるブランクを包装機によって折り込むことで作製することが一般に広く行われている。また、紙器や包装紙等において、デザイン性や触感を付与する手法として、エンボス加工を施すことが広く行われている。エンボス加工とは、紙など加工対象の裏面を押し上げて表面を浮き上がらせる（盛り上げる）ことで立体感を出す加工で、「浮き上げ」加工とも呼ばれている。例えば、特許文献１には、エンボス加工を施した紙巻きタバコのパッケージが開示されている。
【先行技術文献】
【特許文献】
【０００３】
【特許文献１】特開２００６−５６６０３号公報
【発明の概要】
【発明が解決しようとする課題】
【０００４】
図１２は、エンボス加工が施された従来のブランク１００の断面を示す図である。ブランク１００に形成されたエンボス部１１０は、ブランク１００の裏面側が周囲に比べて凹むと共に、表面側が周囲に比べて突出している。このように構成されるエンボス部１１０は、喫煙物品の包装工程において、ブランク１００の表面から突出する部分が包装機のガイドやベルト等に接触し、損傷を受ける虞がある。特に、喫煙物品用パッケージの包装機は、製品の生産性を高める観点から包装速度が非常に速く設定されており、パッケージの成形品質を担保する必要から、包装機のガイドやベルト等とブランクとの間のクリアランスが微細かつタイトなものとなる。そのため、高速包装機を用いて成形される喫煙物品用パッケージは、ブランク１００の表面から突出するエンボス部１１０が包装工程に損傷を受けやすいという問題がある。【０００５】
また、ブランク１００の表面のうち、エンボス部１１０が形成される箇所には、ブランド名、マーク、デザイン等が印刷されることが多く、包装工程においてエンボス部１１０がガイド等に接触すると、印刷箇所の表面擦れによってインキや箔などが剥離する虞がある。【０００６】
本発明は、上記した実情に鑑みてなされてものであって、その目的は、高速包装機を用いて成形しても成形品質の低下、或いはインキや箔の剥離が起こることがなく、しかも従来のエンボス加工と同様な立体感が付与された喫煙物品用パッケージを提供することにある。
【課題を解決するための手段】
【０００７】
本発明では、上記課題を解決するために以下の手段を採用する。すなわち、本発明に係る喫煙物品用パッケージは、ブランクを折り込むことで成形される喫煙物品用パッケージであって、前記ブランクの少なくとも一部に形成された凹凸加飾部を備え、前記凹凸加飾部は、デボス加工によって前記ブランクの外面が周囲よりも前記喫煙物品の収容空間側に向かって凹んだデボス面を有するデボス部と、前記デボス部の平面領域内に形成され、エンボス加工によって前記デボス面が隆起してなる突起を有するエンボス部と、を含む。【０００８】
上記構成に係るパッケージによれば、一旦デボス加工によって内側に凹ませたデボス部の平面領域内にエンボス部を形成するようにしたため、パッケージを包装する際に、エンボス部の突起が包装機のガイドやベルト等に接触することを抑制することができる。これにより、パッケージの包装工程において、エンボス部が損傷することを好適に抑制することができる。【０００９】
また、エンボス部における突起の表面擦れを抑制することができるため、エンボス部に印刷したインキや箔押しした箔などが剥離することを抑制できる。これにより、パッケージにおける成形品質の低下、或いは、インキや箔の剥離が起こることがなく、しかも従来のエンボス加工と同様な立体感が付与された喫煙物品用パッケージを提供することができる。【００１０】
また、前記突起における頂部の高さは、前記デボス部の周囲を囲む外周部の高さ以下であってもよい。これによれば、パッケージの包装工程において、エンボス部の突起の損傷をより確実に抑制することができる。【００１１】
また、本発明は、折り込まれることで喫煙物品用パッケージを成形する喫煙物品用パッケージのブランクとして捉えることもできる。本発明に係る喫煙物品用パッケージのブランクは、少なくとも一部に形成された凹凸加飾部を備え、前記凹凸加飾部は、デボス加工によって前記ブランクの外面が周囲よりも前記喫煙物品の収容空間側に向かって凹んだデボス面を有するデボス部と、前記デボス部の平面領域内に形成され、エンボス加工によって前記デボス面が隆起してなる突起を有するエンボス部と、を含む。本発明に係る喫煙物品用パッケージのブランクにおいても、上述した喫煙物品用パッケージと同様な作用効果を奏する。更に、喫煙物品用パッケージのブランクは、複数枚のブランクを積層させた状態で束ねて輸送されることが多いという実情がある。これに対して、本発明に係る喫煙物品用パッケージのブランクのように、デボス部とエンボス部とを組み合せた凹凸加飾部を備えることで、上記のように積層されて輸送される場合においてもエンボス部が潰れ、品質に影響を与えることを抑制できる。【００１２】
なお、喫煙物品とは、例えば紙巻たばこ（フィルタシガレット、両切たばこ（フィルタ無し））、葉巻、シガリロ、電子たばこ等が例示できる。
【発明の効果】
【００１３】
本発明によれば、高速包装機を用いて成形しても成形品質の低下、或いはインキや箔の剥離が起こることがなく、しかも従来のエンボス加工と同様な立体感が付与された喫煙物品用パッケージを提供することができる。
【図面の簡単な説明】
【００１４】
【図１】図１は、実施形態に係るパッケージの外観図である（１）。
【図２】図２は、実施形態に係るパッケージの外観図である（２）。
【図３】図３は、実施形態に係るパッケージを成形するためのブランクを示す図である。
【図４】図４は、実施形態に係る凹凸加飾部の上面図である。
【図５】図５は、図４に示すＡ−Ａ矢視断面図である。
【図６】図６は、図４に示すＢ−Ｂ矢視断面図である。
【図７】図７は、実施形態に係る金型を示す図である。
【図８】図８は、実施形態に係るパッケージに形成される凹凸加飾部の変形例を示す図である（１）。
【図９】図９は、実施形態に係るパッケージに形成される凹凸加飾部の変形例を示す図である（２）。
【図１０】図１０は、実施形態に係るパッケージに形成される凹凸加飾部の変形例を示す図である（３）。
【図１１】図１１は、実施形態に係るパッケージに形成される凹凸加飾部の変形例を示す図である（４）。
【図１２】図１２は、従来のブランクの断面を示す図である。
【発明を実施するための形態】
【００１５】
以下、本発明の実施形態について図面に基づいて説明する。本実施形態に記載されている構成要素の寸法、材質、形状、その相対配置等は、特に特定的な記載がない限りは、発明の技術的範囲をそれらのみに限定する趣旨のものではない。
【００１６】
＜実施形態＞
《パッケージの基本構成》
図１および図２は、実施形態に係る喫煙物品用パッケージ（以下、単に“パッケージ”という）１の外観図である。本実施形態において、パッケージ１は、シガレットを収容するシガレットパッケージである。パッケージ１は、パッケージ本体２と、パッケージ本体２にヒンジを介して回動自在に連結される蓋部であるリッド３とを含んで構成されている。図１は、リッド３が開放されたパッケージ１を正面側から眺めた状態を示している。図２は、リッド３が閉じられたパッケージ１を背面側から眺めた斜視図である。以下、本明細書において、パッケージ１の正面側を“前方”と定義し、背面側を“後方”と定義する。
【００１７】
パッケージ本体２は、アウタボックス４と、インナフレーム５とを備える。アウタボックス４は、直方体形状の上端側が斜めに切り欠かれた形状を有する箱体である。図１および２を参照してアウタボックス４を詳しく説明すると、アウタボックス４は、前壁４１、後壁４２、一組の側壁４３、底壁４４を有する。前壁４１および後壁４２は夫々矩形状を有し、後壁４２は前壁４１に比べて高さ寸法が長尺の矩形状をなし、前壁４１と対向配置されている。一組の側壁４３は、前壁４１および後壁４２の両側縁を相互に連結しており、矩形状の上端が斜辺となった台形状をなしている。すなわち、側壁４３の上端縁は、前壁４１の上端と後壁４２の上端とを結ぶように傾斜している。底壁４４は、矩形状をなしており、前壁４１の下端および後壁４２の下端に連結されている。
【００１８】
アウタボックス４の後壁４２の上端にはヒンジ６が形成されている。このヒンジ６は、両側壁４３の上端縁の後部間に亘って延伸し、パッケージ本体とリッド３とを相互に回動自在に連結している。以上のように構成されるアウタボックス４は、その上端が開口端として形成されており、シガレットを出し入れすることが可能となっている。
【００１９】
インナフレーム５は、略Ｕ字形状をなした前面フレーム５１と、この前面フレーム５１の両側縁に連結されたに一組の側面フレーム５２とを有する。インナフレーム５は、アウタボックス４の開口端から部分的に上方へ突出した状態で、アウタボックス４の内面、すなわち、前壁４１および各側壁４３の内面に接着されている。インナフレーム５は、アウタボックス４の開口端を補強するとともに、リッド３の開閉を案内するガイドとしても機能する。
【００２０】
リッド３は、前壁３１、後壁３２、一組の側壁３３、天壁３４を有する。前壁３１および後壁３２は夫々矩形状を有し、前壁３１は後壁３２に比べて長尺の矩形状をなし、後壁３２と対向配置されている。一組の側壁３３は、前壁３１および後壁３２の両側縁を相互に連結しており、矩形状の下端が斜辺となった台形状をなしている。天壁３４は、矩形状をなしており、前壁３１の上端および後壁３２の上端に連結されている。
【００２１】
本実施形態に係るパッケージ１は、図３に示すブランクＢ１を折り込み線（罫線）に沿って折り込むことで成形されている。図３に示すブランクＢ１は、アウタボックス４およびリッド３を成形するためのブランクである。ブランクＢ１には、カード紙、マニラボール紙等の紙材を用いているが、これらに限定されるものではない。図３において、ブランクＢ１の内面（裏面）を示している。ブランクＢ１の内面（裏面）は、成形後においてアウタボックス４およびリッド３の内面を形成する方の面である。一方、ブランクＢ１の外面（表面）は、成形後においてアウタボックス４およびリッド３の外面を形成する方の面である。ブランクＢ１の外面（表面）には、パッケージ１に収容するシガレットのブランドロゴ、シガレットの製造メーカ、装飾用の絵柄等が、例えばグラビア印刷等によって予め印刷されている。以下、ブランクＢ１を構成する各パネル同士の位置関係について説明するが、その際の上下左右方向は図３に示すブランクＢ１の姿勢を基準にして説明するものであり、成形後のパッケージ１における各方向に対応するものではない。
【００２２】
ブランクＢ１は、アウタボックス４となるアウタボックス区域Ｒ１、リッド３となるリッド区域Ｒ２を有している。アウタボックス区域Ｒ１は、アウタボックス４の前壁４１となる前壁パネルＰ１を有している。また、前壁パネルＰ１の両側縁には、アウタボックス４の側壁４３となる一組の側壁パネルＰ２,Ｐ２が連なっている。
【００２３】
また、前壁パネルＰ１の上縁には、アウタボックス４の底壁４４となる底壁パネルＰ３が連なっている。底壁パネルＰ３の上縁には、アウタボックス４の後壁４２となる後壁パネルＰ４が連なっている。この後壁パネルＰ４の両側縁には、一組のサイドフラップＰ５,Ｐ５が連なっている。サイドフラップＰ５,Ｐ５は、アウタボックス４の側壁４３を補強するためのフラップである。更に、各サイドフラップＰ５の下端には、ボトムフラップＰ６が連なっている。ボトムフラップＰ６は、アウタボックス４の底壁４４を補強するためのフラップである。
【００２４】
リッド区域Ｒ２は、リッド３の後壁３２となる後壁パネルＰ７を有している。また、後壁パネルＰ７の下縁は、ヒンジ６となるヒンジラインＬ１を介してアウタボックス区域Ｒ１の後壁パネルＰ４と連結されている。また、リッド区域Ｒ２の後壁パネルＰ７の上縁には、リッド３の天壁３４となる天壁パネルＰ８が連なっている。また、リッド区域Ｒ２における後壁パネルＰ７の両側縁には、リッド３の側壁３３を補強する一組のサイドフラップＰ９が連なっている。そして、各サイドフラップＰ９の上縁には、天壁３４を補強するトップフラップＰ１０が連なっている。
【００２５】
また、天壁パネルＰ８の上縁には、リッド３の前壁３１となる前壁パネルＰ１１が連なっている。更に、前壁パネルＰ１１の上縁には、前壁３１の補強をなすフロントフラップＰ１２が連なっている。また、前壁パネルＰ１１の両側縁には、リッド３における側壁３３となる一組の側壁パネルＰ１３が連なっている。
【００２６】
図３における破線は、ブランクＢ１の折り込み線を表す。パッケージ１の製造過程において、図示の折り込み線に沿って包装機によってブランクＢ１を折り込み、適所を接着することでアウタボックス４およびリッド３が成形される。
【００２７】
例えば、各折り込み線に沿ってアウタボックス区域Ｒ１を折り込み、ボトムフラップＰ６を底壁パネルＰ３の内側に接着または重ね合せ、サイドフラップＰ５を側壁パネルＰ２の内側に接着する。これにより、パッケージ１のアウタボックス４が成形される。一方、リッド区域Ｒ２についても各折り込み線に沿って折り込み、サイドフラップＰ９を側壁パネルＰ１３の内側に接着し、トップフラップＰ１０を天壁パネルＰ８の内側に接着または重ね合せることで、リッド３が成形される。
【００２８】
《パッケージの凹凸加飾部》
本実施形態に係るパッケージ１は、立体的な加飾が施された凹凸加飾部８を備えている。図１には、パッケージ１に係るアウタボックス４の前壁４１に、３つの凹凸加飾部７を配置した例が示されている。本実施形態に係るパッケージ１においては、その一部に凹凸加飾部７が形成されているが、パッケージ１の全体に凹凸加飾部７が形成されていてもよい。
【００２９】
図４は、実施形態に係る凹凸加飾部７の上面図である。図５は、図４に示すＡ−Ａ矢視断面図である。図６は、図４に示すＢ−Ｂ矢視断面図である。凹凸加飾部７は、デボス加工によってブランクＢ１の外面がシガレットの収容空間側（内側）に向かって凹んだデボス面８ａを有するデボス部８と、デボス部８の平面領域内に形成されると共にエンボス加工によってデボス面８ａが外方に向かって隆起してなる突起９ａを有するエンボス部９、を含んでいる。符号１０は、前壁４１において、デボス部８の（平面方向）周囲を囲む外周部（以下、「デボス外周部」という）である。デボス外周部１０は、ブランクＢ１の外面のうち、凹凸加飾部７が形成されている領域と、そうでない領域とを画定する境界部である。
【００３０】
デボス部８は、デボス（空押し）加工によって、ブランクＢ１の外面（表面）側を凹ませた加飾部分である。エンボス部９は、エンボス（浮き上げ）加工によって、ブランクＢ１の外面（表面）側を押し上げた加飾部分である。ここで、突起９ａの頂面を「エンボス頂面９ｂ」と呼ぶ。図４乃至６に示す例では、デボス面８ａおよびエンボス頂面９ｂは共に平坦であり、デボス外周部１０と平行な面として形成されている。ここで、エンボス頂面９ｂの高さは、デボス外周部１０の高さ以下となるように設定されている。つまり、本実施形態において、エンボス頂面９ｂの高さは、デボス外周部１０の高さと等しいか、若しくは、デボス外周部１０の高さより低くなっている。これは、凹凸加飾部７のエンボス頂面９ｂが、加飾周縁部１０よりも突出していない（出っ張っていない）ことを意味する。
【００３１】
図７は、ブランクＢ１に対して凹凸加飾部７を形成するための金型を示す図である。例えば、ブランクＢ１は、紙シートを打ち抜いて図３に示す形状に成形される。その際、展開した状態（折り込む前の状態）のブランクＢ１に対して、ブランクが打ち抜かれる前に図７に示すような下金型２１および上金型２２を用いて、アウタボックス区域Ｒ１の前壁パネルＰ１に対応する部分をプレスしてもよい。また、ブランクが打ち抜かれると同時に、上記下金型２１および上金型２２を用いてプレスをしてもよい。
【００３２】
下金型２１には、ブランクＢ１をプレスする際にブランクＢ１にデボス部８を形成するための凹部であるデボス形成部２１ａと、エンボス部９を形成するための凸部であるエンボス形成部２１ｂが形成されている。一方、上金型２２には、ブランクＢ１をプレスする際にデボス部８を形成するための凸部であるデボス形成部２２ａと、エンボス部９を形成するための凹部であるエンボス形成部２２ｂが形成されている。下金型２１および上金型２２によってブランクＢ１を挟んだ状態でプレスすることで、ブランクＢ１の外面から内側に凹んだデボス面８ａを有するデボス部８と、デボス部８が設けられた領域内に形成されてデボス面８ａから外側へと隆起してなる突起９ａを有するエンボス部９を、含む凹凸加飾部７が、ブランクＢ１の前壁パネルＰ１に施される。
【００３３】
図１に示すパッケージ１においては、１つのデボス部８領域内にエンボス部９を１つ設けることで凹凸加飾部７を形成しているが、１つのデボス部８の領域内に複数のエンボス部９を設けるようにしてもよい。ここで、ブランクＢ１の厚さは０．０５〜０．５ｍｍ程度となっている。また、エンボス部９における突起９ａの幅Ｗ１は１〜１０ｍｍ程度、若しくはブランクの厚さの２倍〜６０倍程度とすることで、凹凸加飾部７をパッケージ１の表面に形成しない未加工品に比べて優れた触感を有する。但し、突起９ａの幅Ｗ１はこれらの範囲に限定されない。また、凹凸加飾部７を加工する際における紙割れなどを防ぐ観点から、デボス面９ａの幅Ｗ２を０．２５ｍｍ以上、若しくはブランクの厚さの０．５倍以上とすることが好ましい。なお、デボス面９ａの幅Ｗ２とは、デボス面９ａにおける外周縁部からエンボス部９における突起９ａの下端までの幅寸法を指す。但し、ブランクＢ１に凹凸加飾部７を形成する際における紙割れの起こりやすさは、ブランクＢ１の紙質、紙厚、表面塗工の有無などによって相違するため、パッケージ１の仕様に応じてデボス面９ａの幅Ｗ２を適正に設定することが好ましい。
【００３４】
ここで、凹凸加飾部７におけるデボス面８ａとエンボス頂面９ｂとの高低差を「エンボス突起高さ」と呼ぶ。エンボス突起高さＨ１は５μｍ以上、より好ましくは１０μｍ以上とすると、パッケージ１の表面に優れた触感を付与することができる。また、エンボス突起高さＨ１の上限高さは特段制限されない。パッケージ１においては、例えば、凹凸加飾部７の各々に一つの模様が付与されている。例えば、エンボス部９のエンボス頂面９ｂに、ブランドロゴ、絵柄などが印刷あるいは箔押しされている。また、凹凸加飾部７のデボス面８ａに、ブランドロゴ、絵柄の印刷や箔押しが施されていてもよい。また、複数の凹凸加飾部７の集合体によって、１つの模様を作成してもよい。
【００３５】
以上のように、本実施形態のパッケージ１によれば、ブランクＢ１の表面に立体加飾を施す際に、一旦デボス加工によって内側に凹ませたデボス部８の領域内にエンボス部９を形成するようにしたため、パッケージ１を高速包装する際に、エンボス部９の突起９ａが包装機のガイドやベルト等に接触することを抑制することができる。特に、本実施形態におけるパッケージ１においては、凹凸加飾部７におけるエンボス頂面９ｂの高さを、デボス外周部１０の高さ以下の寸法にしたため、パッケージ１の包装工程においてエンボス部９が損傷することを、より確実に抑制することができる。また、エンボス部９のエンボス頂面９ｂの表面擦れを抑制することができるため、インキや箔などが剥離することを抑制できる。これにより、高速包装機を用いて成形しても成形品質の低下、或いはインキや箔の剥離が起こることがなく、しかも従来のエンボス加工と同様な立体感が付与された喫煙物品用パッケージを提供することができる。
【００３６】
なお、本実施形態では、下金型２１および上金型２２を用いたプレスによってブランクＢ１に凹凸加飾部７を形成しているが、表面に凹凸加工が施された一組の加圧ローラーを用いて凹凸加飾部７を形成してもよい。
【００３７】
また、パッケージ１に形成される凹凸加飾部７は、上述までの実施形態に限られず、種々の変形を採用することができる。例えば、上述の実施形態においては、図５に示したようにデボス面８ａが平坦となっていたが、図８に示すように、デボス部８のデボス面８ａが傾斜した曲面として形成されてもよい。この場合、エンボス部９を挟んで、デボス外周部１０から最も深く凹んだ位置同士の間隔Ｗ３を１ｍｍ以上、若しくはブランクの厚さの２倍以上確保することが、凹凸加飾部７を加工する際における紙割れを防ぐ観点から好ましい。
【００３８】
また、図９に示すように、ブランクＢ１に形成する凹凸加飾部７に複数のエンボス部９を含めるようにしてもよい。図示の例では、大きな矩形平面を有するデボス部８の領域内に円形状（ドット状）のエンボス部９を多数配設している。また、図１０に示すように、円形（ドット状）のデボス部８の領域内に、一回り径の小さな円形（ドット状）のエンボス部９を配設して構成される凹凸加飾部７を、パッケージ１のパネル面に多数配置してもよい。その際、隣接する凹凸加飾部７のデボス部８同士の間隔は、例えば０〜５ｍｍ程度とすると、パッケージ１に触れた際に消費者に優れた触感を容易に知覚させることができる。なお、凹凸加飾部７をドット状に配置する際には規則的に凹凸加飾部７を並べてもよいし、凹凸加飾部７を不規則に並べてもよい。また、集まったドット全体で１つの模様を形成するように並べてもよい。また、図１１に示す例では、パッケージ１に、波線形状の凹凸加飾部７が複数、並んで配置されている。例えば、波線形状の凹凸加飾部７同士のデボス部同士の間隔は、例えば０〜５ｍｍ程度とすると、優れた触感を消費者に知覚させる観点から好ましい。線状の凹凸加飾部７を配置する際には、規則的に凹凸加飾部７を並べてもよいし、不規則に凹凸加飾部７を並べてもよい。また、集まった線状の凹凸加飾部７全体で１つの模様を形成するように並べてもよい。なお、本実施形態のパッケージにおいて、ブランクＢ１に形成する凹凸加飾部７のバリエーションは上述までの例に限られず、種々の形態を採用することができる。
【００３９】
また、上述の実施形態では、パッケージ１に収容する喫煙物品としてシガレットを例に挙げて説明したが、これには限定されない。例えば、葉巻、シガリロ、電子たばこ等をパッケージに収容してもよい。
【符号の説明】
【００４０】
１・・・パッケージ
２・・・パッケージ本体
３・・・リッド
４・・・アウタボックス
５・・・インナフレーム
６・・・ヒンジ
７・・・凹凸加飾部
８・・・デボス部
８ａ・・・デボス面
９・・・エンボス部
９ａ・・突起
９ｂ・・・エンボス頂面
１０・・・デボス外周部
【図１】
2015125292.tif 000003
【図２】
2015125292.tif 000004
【図３】
2015125292.tif 000005
【図４】
2015125292.tif 000006
【図５】
2015125292.tif 000007
【図６】
2015125292.tif 000008
【図７】
2015125292.tif 000009
【図８】
2015125292.tif 000010
【図９】
2015125292.tif 000011
【図１０】
2015125292.tif 000012
【図１１】
2015125292.tif 000013
【図１２】
2015125292.tif 000014
【国際調査報告】
2015125292.tif 000015
2015125292.tif 000016
2015125292.tif 000017
2015125292.tif 000018